(57)【要約】      （修正有）【課題】把手部を有する飲料用容器において、携帯性を損なわずに外付けストラップを着脱自在とする飲料用容器を提供する。【解決手段】容器本体の上部に設けられた回転支持部４と、根元部分３ａにおいて、回転支持部４に回転可能に支持される把手部３とを備えた飲料用容器であって、根元部分３ａに、外付けストラップを着脱自在に取り付けるためのストラップ支持軸３１が設けられている。ストラップ支持軸３１は、回転支持部４の回転軸３１と平行に、把手部３の表面に設置される。ストラップ支持軸３１と支持軸３０は偏心している。把手部３を下方向に降ろした状態で、ストラップ支持軸３１の方が上方に位置するように偏心している。偏心量は、０．５〜１．５ｍｍである。【選択図】図２
0003161976.tif 000002
【実用新案登録請求の範囲】
【請求項１】
容器本体の上部に設けられた回転支持部と、
根元部分において、前記回転支持部に回転可能に支持される把手部と、を備えた飲料用容器であって、
前記根元部分に、外付けストラップを着脱自在に取り付けるための取り付け部が設けられていることを特徴とする飲料用容器。
【請求項２】
前記取り付け部は、前記回転支持部の回転軸と平行に、前記把手部の表面に設置されるストラップ支持軸を備えていることを特徴とする請求項１に記載の飲料用容器。
【請求項３】
前記ストラップ支持軸の先端部をカバーするカバー部材が設けられていることを特徴とする請求項２に記載の飲料用容器。
【請求項４】
前記ストラップ支持軸と前記回転支持部の回転軸は偏心していることを特徴とする請求項２又は３に記載の飲料用容器。
【請求項５】
前記把手部を下方向に降ろした状態で、前記ストラップ支持軸の方が上方に位置するように偏心していることを特徴とする請求項４に記載の飲料用容器。
【請求項６】
前記偏心量は、０．５〜１．５ｍｍであることを特徴とする請求項４又は５に記載の飲料用容器。
【考案の詳細な説明】
【技術分野】
【０００１】
本考案は、容器本体の上部に設けられた回転支持軸と、根元部分において、回転支持軸に回転可能に支持される把手部と、を備えた飲料用容器に関するものである。
【背景技術】
【０００２】
スポーツジャグ等の飲料用容器は、図５に示すように、容器本体１００と容器本体１００の上面側に設けられる栓体１０１とにより構成されており、携帯性を高めるために把手部１０２が設けられている（例えば、下記特許文献１）。把手部１０２は、容器本体１００の上部に設けられた回転支持軸１０３により回転自在に保持されており、持ち運ぶときは、把手部１０２を手で持てばよい。
【先行技術文献】
【特許文献】
【０００３】
【特許文献１】実用新案登録３１５０１１９号
【考案の概要】
【考案が解決しようとする課題】
【０００４】
一方、上記飲料用容器を手で持つのではなく、ストラップを付けて肩から提げて持ち運びたいという要求がある。かかる場合、外付けストラップを取り付けるための場所がなく不便であった。また、外付けストラップを装着するときにも、携帯性を損なわないように装着させる必要がある。
【０００５】
本考案は上記実情に鑑みてなされたものであり、その課題は、把手部を有する飲料用容器において、携帯性を損なわずに外付けストラップを着脱自在とする飲料用容器を提供することである。
【課題を解決するための手段】
【０００６】
上記課題を解決するため本考案に係る飲料用容器は、
容器本体の上部に設けられた回転支持部と、根元部分において、前記回転支持部に回転可能に支持される把手部と、を備えた飲料用容器であって、
前記根元部分に、外付けストラップを着脱自在に取り付けるための取り付け部が設けられていることを特徴とするものである。
【０００７】
この構成による飲料用容器の作用・効果を説明する。この飲料用容器は、把手部が回転支持される根元部分において、外付けストラップを着脱自在に取り付けるための取り付け部が設けられている。この取り付け部を利用して外付けストラップを必要に応じて着脱させることができる。また、根元部分に外付けストラップを取り付けるので、外付けストラップを肩から吊り下げたときに、不用意に把手部が回転してしまうことがなく、携帯性を損なうことがない。
【０００８】
本考案に係る取り付け部は、前記回転支持部の回転軸と平行に、前記把手部の表面に設置されるストラップ支持軸を備えていることが好ましい。
【０００９】
かかる態様でストラップ支持軸を設けることで、ストラップの取り付けを容易にすると共に、ストラップを肩から吊り下げたときに、自然な姿勢で飲料用容器を保持することができる。
【００１０】
本考案において、前記ストラップ支持軸の先端部をカバーするカバー部材が設けられていることが好ましい。これにより、外付けストラップが不用意にストラップ支持軸から脱落してしまうことがなく、確実に飲料用容器を支持することができる。
【００１１】
本考案において、前記ストラップ支持軸と前記回転支持部の回転軸は偏心していることが好ましい。より好ましくは、前記把手部を下方向に降ろした状態で、前記ストラップ支持軸の方が上方に位置するように偏心していることが好ましい。
【００１２】
かかる構成により、外付けストラップを肩から吊り下げたときに、把手部が不用意に回転してしまうことがなく、使い勝手を良好に保持することができる。
【００１３】
上記において、偏心量は、０．５〜１．５ｍｍであることが好ましい。偏心量が０．５ｍｍ未満では、偏心させることの効果がほとんどなく、偏心量が１．５ｍｍを超えると、ストラップを肩から吊り下げたときに、逆に把手部が斜めに持ち上がってくるという不具合が生じる。従って、上記の偏心量に設定することで、良好に携帯性を維持することができる。
【図面の簡単な説明】
【００１４】
【図１】本考案にかかる飲料用容器の外観を示す斜視図
【図２】図１に示す飲料用容器の縦断面図
【図３】外付けストラップの一例を示す図
【図４】ストラップを装着した状態を示す図
【図５】従来技術に係る飲料用容器の外観を示す図
【考案を実施するための形態】
【００１５】
本考案にかかる飲料用容器の好適な実施形態を図面を用いて説明する。図１は、本考案にかかる飲料用容器の外観を示す斜視図である。この飲料用容器は、スポーツジャグとも呼ばれているものである。ただし、本考案に係る飲料用容器は、これに限定されるものではない。
【００１６】
＜飲料用容器の全体構成＞
図１において、飲料用容器は、容器本体１と、容器本体１の上面側に設けられる栓体２を備えている。容器本体１は略円筒形であり、第１本体部１ａと第２本体部１ｂにより構成され、栓体２は第２本体部１ｂに対してネジにより結合される。栓体２は、第２本体部１ｂに対して着脱自在であり、栓体２を取り外すことで、内部の洗浄等を行うことができる。栓体２には、開閉自在のキャップ２ｂが設けられており、使用しないときはロックレバー２ａにより閉位置にロックされている。ロックを解除することで、不図示のスプリングにより、キャップ２ｂが開方向に付勢され、飲み口が露出する。
【００１７】
容器本体１の上部、即ち、第２本体部１ｂの側面には、把手部３を回転自在に軸支するための回転支持部４が設けられる。回転支持部４は、容器本体１の中心に対して１８０゜点対称な位置に２箇所設けられる。把手部３は、これを手で提げることで飲料用容器を持ち運ぶことができ、携帯性を高めている。
【００１８】
図２は、図１の飲料用容器の縦断面図を示す。第２本体部１ｂには、回転支持部４として軸受凹部４ａが設けられる。把手部３の根元部分３ａには、回転軸３０が設けられており、これが軸受凹部４ａにより軸支される。回転軸３０は、飲料用容器を水平面に載置したとき、水平方向になるように設けられる。
【００１９】
回転軸３０は、根元部分３ａの裏面側に設けられるが、根元部分３ａの表面側にストラップ支持軸３１が設けられている。このストラップ支持軸３１は、外付けストラップを着脱自在に取り付けるための取り付け部として機能する。
【００２０】
図示する飲料用容器は、把手部３により手で持ち提げて運ぶことができるが、飲料用容器を肩から吊り下げて持ち運びたいという要望もある。かかる場合に、外付けストラップを着脱自在に取り付けることもできる。
【００２１】
ストラップ支持軸３１の先端部にはカバー部材３２が設けられており、ストラップを装着したときに、ストラップが不用意に外れてしまわないようにしている。図２の断面図に示すように、ストラップ支持軸３１と回転軸３０とは、平行であり、いずれも水平方向である。また、把手部３を下方に降ろしたときに、ストラップ支持軸３１の軸芯３１ａは、回転軸３０の軸芯３０ａよりも上方に偏心している。その偏心量は０．５ｍｍ〜１．５ｍｍである。より好ましくは、１ｍｍ〜１．５ｍｍである。
【００２２】
外付けストラップを装着して、肩から吊り下げたときに、把手部３が邪魔にならないようにする必要がある。上記のように、根元部分３ａでストラップを装着させるので、自然な姿勢で飲料用容器を吊り下げることができる。また、ストラップ支持軸３１を回転軸３０に対して偏心させているので、外付けストラップで吊り下げた場合に、不用意に把手部３が持ち上がってしまうことがなく、携帯性を損なうことがない。
【００２３】
前述の偏心量が０．５ｍｍ未満では、偏心させることの効果があまりないので、偏心量は０．５ｍｍ以上とすることが好ましい。１ｍｍ以上とすればより好ましい。また、偏心量が１．５ｍｍを超えると、肩から吊り下げたときに、逆に把手部３が斜めに持ち上がることがあり、かえって使い勝手を損ねる。そこで、偏心量は１．５ｍｍ以下とすることが好ましい。
【００２４】
＜ストラップの構成＞
図３は、外付けストラップの一例を示す図である。ストラップ１０は両端部に係止部１０ａを備えている。ストラップ自体は、公知の構成である。図４は、実際にストラップ１０を装着した状態を示している。
【００２５】
図示するように、ストラップ１０で吊り下げた状態でも、把手部３は下方に降りた状態を保持できるので、肩から飲料用容器を吊り下げる場合も、把手部３が邪魔にならず、良好な携帯性を維持することができる。
【００２６】
＜別実施形態＞
飲料用容器は、スポーツジャグに限定されるものではなく、魔法瓶、水筒等の携帯性を有する飲料用容器であれば適用可能である。
【００２７】
外付けストラップについては、図示のものに限定されるものではなく、種々のタイプのものを使用することができる。
【００２８】
本実施形態において、容器本体１は、第１本体部１ａと第２本体部１ｂに分かれているが、容器本体１の構造は上記に限定されるものではなく、構成部品数は１つでもよいし、３つ以上でもよい。
【符号の説明】
【００２９】
１        容器本体
１ａ      第１本体部
１ｂ      第２本体部
２        栓体
３        把手部
３ａ      根元部分
４        回転支持部
４ａ      軸受凹部
１０      外付けストラップ
１０ａ    係止部
３０      回転軸
３０ａ    軸芯
３１      ストラップ支持軸
３１ａ    軸芯
３２      カバー部材
【図１】
0003161976.tif 000003
【図２】
0003161976.tif 000004
【図３】
0003161976.tif 000005
【図４】
0003161976.tif 000006
【図５】
0003161976.tif 000007
【手続補正書】
【提出日】平成22年6月14日(2010.6.14)
【手続補正１】
【補正対象書類名】実用新案登録請求の範囲
【補正対象項目名】全文
【補正方法】変更
【補正の内容】
【実用新案登録請求の範囲】
【請求項１】
容器本体の上部に設けられた回転支持部と、
根元部分において、前記回転支持部に回転可能に支持される把手部と、を備えた飲料用容器であって、
前記根元部分に、外付けストラップを着脱自在に取り付けるための取り付け部が設けられていることを特徴とする飲料用容器。
【請求項２】
前記取り付け部は、前記回転支持部の回転軸と平行に、前記把手部の表面に設置されるストラップ支持軸を備えていることを特徴とする請求項１に記載の飲料用容器。
【請求項３】
前記ストラップ支持軸の先端部をカバーするカバー部材が設けられていることを特徴とする請求項２に記載の飲料用容器。
【請求項４】
前記ストラップ支持軸と前記回転支持部の回転軸は偏心していることを特徴とする請求項２又は３に記載の飲料用容器。
【請求項５】
前記把手部を下方向に降ろした状態で、前記ストラップ支持軸の方が上方に位置するように偏心していることを特徴とする請求項４に記載の飲料用容器。
【請求項６】
前記ストラップ支持軸に対する前記回転支持部の回転軸の偏心の度合いは、０．５〜１．５ｍｍであることを特徴とする請求項４又は５に記載の飲料用容器。